(57)【要約】      （修正有）【課題】表示装置に対して利用者が簡便な方法で領域を指定して情報を掲示するための技術を提供する。【解決手段】表示装置２００の表示画面上の各位置に割り当てられている近接無線通信部２０１のうち、外部機器と近接無線通信を行った近接無線通信部２０１を特定する。特定したそれぞれの近接無線通信部２０１が割り当てられている表示画面上の位置を用いて、該表示画面上における領域を特定する。外部機器から送信された情報を、特定した領域内に配置して表示する。【選択図】図１
2015072638.tif 000002
【特許請求の範囲】
【請求項１】
表示画面を有する表示装置であって、
前記表示画面上の各位置に割り当てられている通信部のうち、外部機器と近接無線通信を行った通信部を特定する特定手段と、
前記特定手段が特定したそれぞれの通信部が割り当てられている前記表示画面上の位置を用いて、該表示画面上における領域を特定する領域特定手段と、
前記外部機器から送信された情報を、前記領域特定手段が特定した領域内に配置して表示する表示制御手段と
を備えることを特徴とする表示装置。
【請求項２】
前記表示画面上の各位置に割り当てられている通信部は定期的に接続要求を送信しており、
前記特定手段は、
前記表示画面上の各位置に割り当てられている通信部のうち、前記接続要求に対する応答を前記外部機器から受信した通信部を特定することを特徴とする請求項１に記載の表示装置。
【請求項３】
前記特定手段は、
前記表示画面上の各位置に割り当てられている通信部のうち、１番目に前記応答を受信した通信部を第１の通信部として特定すると共に、Ｐ（２≦Ｐ≦Ｑ）番目に前記応答を受信した通信部を第Ｐの通信部として特定し、
前記領域特定手段は、
前記第１乃至Ｑの通信部のそれぞれが割り当てられている前記表示画面上の位置を用いて、該表示画面上における領域を特定する
ことを特徴とする請求項２に記載の表示装置。
【請求項４】
前記表示制御手段は、
前記第１乃至（Ｑ−１）の通信部のそれぞれが割り当てられている前記表示画面上の位置が特定されるたびに該位置にマーカを表示し、第Ｑの通信部が特定されると、前記領域の枠を表示することを特徴とする請求項３に記載の表示装置。
【請求項５】
前記表示制御手段は、
前記領域内に情報を書き込むためのフォームである入力フォームを前記外部機器に通知する手段と、
前記通知に応じて前記外部機器から送信された情報を用いて、前記入力フォームに従った画面を作成し、該作成した画面を表示する手段と
を備えることを特徴とする請求項１乃至４の何れか１項に記載の表示装置。
【請求項６】
前記表示制御手段は、
予め作成された複数の入力フォームのうち、前記領域に対応する入力フォームを前記外部機器に通知することを特徴とする請求項５に記載の表示装置。
【請求項７】
更に、
前記表示画面上の各位置に割り当てられている通信部のうち、前記領域に含まれている位置に割り当てられているそれぞれの通信部に対して予め設定されている料金の合計金額を求める手段を備え、
前記表示制御手段は、該求めた合計金額を、前記領域に対する利用料金として表示することを特徴とする請求項１乃至６の何れか１項に記載の表示装置。
【請求項８】
外部機器と、表示画面を有する表示装置と、を有する表示システムであって、
前記表示装置は、
前記表示画面上の各位置に割り当てられている通信部のうち、前記外部機器と近接無線通信を行った通信部を特定する特定手段と、
前記特定手段が特定したそれぞれの通信部が割り当てられている前記表示画面上の位置を用いて、該表示画面上における領域を特定する領域特定手段と、
前記外部機器から送信された情報を、前記領域特定手段が特定した領域内に配置して表示する表示制御手段と
を備えることを特徴とする表示システム。
【請求項９】
表示画面を有する表示装置が行う表示方法であって、
前記表示装置の特定手段が、前記表示画面上の各位置に割り当てられている通信部のうち、外部機器と近接無線通信を行った通信部を特定する特定工程と、
前記表示装置の領域特定手段が、前記特定工程で特定したそれぞれの通信部が割り当てられている前記表示画面上の位置を用いて、該表示画面上における領域を特定する領域特定工程と、
前記表示装置の表示制御手段が、前記外部機器から送信された情報を、前記領域特定工程で特定した領域内に配置して表示する表示制御工程と
を備えることを特徴とする表示方法。
【請求項１０】
コンピュータを、請求項１乃至８の何れか１項に記載の表示装置の各手段として機能させるためのコンピュータプログラム。
【発明の詳細な説明】
【技術分野】
【０００１】
本発明は、表示技術に関するものである。
【背景技術】
【０００２】
近年、非接触ＩＣカードが内蔵されている携帯電話等の携帯端末装置が広く普及している。それに伴い、それら携帯端末装置に情報配信を行う情報提供装置も開発されている。情報提供装置は公共の場に設置され、大画面表示装置とその近傍に配置された非接触ＩＣカードのリーダライタより構成される。例えば、大画面表示装置に広告やクーポン等の情報を表示し、利用者は表示された情報の中から希望する情報を指定して、リーダライタに携帯端末装置をかざして情報を取得する。このような近接無線通信の手段としてはＮＦＣ（Ｎｅａｒ  Ｆｉｅｌｄ  Ｃｏｍｍｕｎｉｃａｔｉｏｎ）がよく知られている。日本ではＦｅｌｉｃａ（登録商標）、欧州ではＭＩＦＡＲＥ（登録商標）として広く普及し、デジタル機器やＩＣカードに適用されている。
【０００３】
特許文献１には非接触ＩＣカードのリーダライタがアレイ状に配置された表示装置においてリーダライタの配置された領域とコンテンツが表示される領域の対応関係を示すテーブルを管理することでコンテンツに対応した情報を提供可能な技術が開示されている。これによれば、利用者は表示された情報のうち興味を持ったコンテンツに携帯端末装置をかざすだけで、カーソル選択等の面倒な操作をすることなく、そのコンテンツに対応した情報を取得することができる。
【０００４】
また、このように公共の場に設置された大画面表示装置を伴うシステムとしては、利用者に情報を提供するだけではなく、利用者が情報を発信して掲示するための情報掲示装置も開発されている。特許文献２には、電子ペーパーを表示装置として利用した掲示板システムが開示されており、情報提供者が直接掲示板にアクセスしてリアルタイムに情報を掲示することが可能な技術である。これに依れば、掲示板システムが持つ掲示板サーバの提供する掲示板書き込みサービスを利用し、情報提供者が携帯端末装置より表示位置や表示サイズ、フォントなどを数値で指定することで、表示画面上に任意のレイアウトで掲示情報を表示させることができる。
【先行技術文献】
【特許文献】
【０００５】
【特許文献１】特開２００８−２８１７７７号公報
【特許文献２】特開２００８−２６９１４４号公報
【発明の概要】
【発明が解決しようとする課題】
【０００６】
しかしながら、このように公共の場に設置された表示装置に対して、利用者が簡便な方法で領域を指定して情報を掲示することができないという課題があった。特許文献１では、利用者が表示装置の表示面上で携帯端末装置をかざす位置によって得られる情報が異なる技術を提供しているが、利用者が携帯端末装置をかざした位置に情報を掲示することはできなかった。特許文献２では、利用者が表示装置に情報を開示することは可能であるが、表示面上で情報を掲示する位置や大きさを利用者が数値入力をして設定しなければ、所望の領域に情報を掲示することができず、操作が煩雑となっていた。
【０００７】
本発明はこのような問題に鑑みてなされたものであり、表示装置に対して利用者が簡便な方法で領域を指定して情報を掲示するための技術を提供する。
【課題を解決するための手段】
【０００８】
本発明の一様態は、表示画面を有する表示装置であって、前記表示画面上の各位置に割り当てられている通信部のうち、外部機器と近接無線通信を行った通信部を特定する特定手段と、前記特定手段が特定したそれぞれの通信部が割り当てられている前記表示画面上の位置を用いて、該表示画面上における領域を特定する領域特定手段と、前記外部機器から送信された情報を、前記領域特定手段が特定した領域内に配置して表示する表示制御手段とを備えることを特徴とする。
【発明の効果】
【０００９】
本発明の構成によれば、表示装置に対して利用者が簡便な方法で領域を指定して情報を掲示することができる。
【図面の簡単な説明】
【００１０】
【図１】表示システムの構成例を示す図。
【図２】表示装置２００の機能構成例を示すブロック図。
【図３】表示装置２００が行う処理のフローチャート。
【図４】表示装置２００が行う処理のフローチャート。
【図５】領域検出部２０５が管理しているテーブルを説明する図。
【図６】入力書式生成部２０６が管理している入力フォームを説明する図。
【図７】表示装置７００の機能構成例を示すブロック図。
【図８】利用料金算出部２１２が管理しているテーブルを説明する図。
【図９】表示装置７００が行う処理のフローチャート。
【図１０】表示装置７００が行う処理のフローチャート。
【発明を実施するための形態】
【００１１】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１２】
［第１の実施形態］
先ず、本実施形態に係るシステム（表示システム）の構成例について、図１を用いて説明する。図１に示す如く、本実施形態に係るシステムは、スマートフォンなどの携帯型通信装置である携帯端末装置３００と、液晶ディスプレイなどの表示装置２００と、を有している。以下では説明上、一例として、携帯端末装置３００はスマートフォンであるとし、表示装置２００は液晶ディスプレイであるとする。
【００１３】
本実施形態では、ユーザが表示装置２００の表示画面上の２点に対して携帯端末装置３００をかざすだけで、この２点を両端とする対角線を有する矩形領域を指定することができる。さらに本実施形態では、表示装置２００は、この矩形領域に適した入力フォームをユーザに提示することができ、ユーザはこの入力フォームに従って掲示したい情報をメールでもって携帯端末装置３００から表示装置２００に送信することができる。以下では、この本実施形態に係るシステムについて詳細に説明する。
【００１４】
携帯端末装置３００には、非接触ＩＣカード３０１が内蔵されている。一方、表示装置２００が有する表示画面（例えば液晶パネル）の背面には、Ｍ個×Ｎ個（図１の場合は１２個×８個）の、非接触ＩＣカード３０１のリーダライタを含む近接無線通信部２０１がアレイ状に配置されている。非接触ＩＣカード３０１及びリーダライタは、近接無線通信によりデータの送受信を行うためのものである。携帯端末装置３００を表示装置２００の表示画面に近接させると、非接触ＩＣカード３０１とリーダライタとの間で通信が開始され、データの送受信が行われる。図１においては、携帯端末装置３００を表示装置２００の表示画面にかざして２点を指定することで、領域指定を行っている概念図を示している。
【００１５】
なお、表示装置２００には、液晶ディスプレイ、液晶プロジェクタ、有機ＥＬディスプレイ、などの様々な表示装置を適用しても構わない。また、表示装置２００が有する表示画面の背面に配置するリーダライタの数や配置形状は、該画面のサイズや情報掲示を行う表示領域に応じて様々な形態が考えられ、図１で示す形態に限ったものではない。
【００１６】
次に、表示装置２００の機能構成例について、図２のブロック図を用いて説明する。
【００１７】
近接無線通信部２０１は、図１に示す如く、表示装置２００が有する表示部２１１の表示画面の背面にマトリクス状に設けらたＭ個×Ｎ個の通信セットから成り、それぞれの通信セットは、アンテナ２０２及びリーダライタ２０３から成る。すなわち、表示装置２００が有する表示部２１１の背面には、アンテナ２０２及びリーダライタ２０３のセットがマトリクス状にＭ個×Ｎ個設けられていることになる。これは、表示画面をＭ個×Ｎ個の領域に分割し、それぞれの分割領域にアンテナ２０２及びリーダライタ２０３のセットを割り当てたことになる。
【００１８】
リーダライタ２０３は、アンテナ２０２を介して、携帯端末装置３００が有する非接触ＩＣカード３０１との間でデータ通信（近接無線通信）を行うものであり、ここではＮＦＣ規格を搭載するものとする。例えば、リーダライタ２０３は、アンテナ２０２を介して非接触ＩＣカード３０１から受信したデータに対して復調処理、復号処理などの処理を施し、これらにより得られたデータを、自身に固有の識別子と共に通信制御部２０４へと供給する。また、リーダライタ２０３は、通信制御部２０４から供給されたデータに対して符号化処理、変調処理などの処理を施し、これにより得られたデータをアンテナ２０２を介して非接触ＩＣカード３０１に対して送信する。近接無線通信部２０１の動作制御は、通信制御部２０４によって行われる。
【００１９】
領域検出部２０５は、Ｍ個×Ｎ個のそれぞれのリーダライタ２０３について、該リーダライタ２０３の識別子と、該リーダライタ２０３に対応する表示画面上の分割領域と、の対応関係を登録したテーブルを管理している。このテーブルの構成例を図５（ａ）に示す。図５ではＭ＝１２，Ｎ＝８としている。また、このテーブルは、リーダライタ識別子＝０，１，２，３，…，９５のそれぞれに対応するリーダライタ２０３が図５（ｂ）に示すように、左上隅の位置から右下隅の位置へとラスタスキャン順に並んでいる場合におけるものである。
【００２０】
図５（ａ）において欄６００には、Ｍ個×Ｎ個のリーダライタ２０３のそれぞれの識別子（リーダライタ識別子）が登録されており、欄６０１には、Ｍ個×Ｎ個のリーダライタ２０３のそれぞれに対応する分割領域の配置座標が登録されている。例えば、リーダライタ識別子＝３に対応する分割領域の配置座標として、該分割領域の左上隅の座標位置（ｘ３，ｙ３）及び右下隅の座標位置（ｘ３’、ｙ３’）が登録されている。
【００２１】
領域検出部２０５は、Ｍ個×Ｎ個のリーダライタ２０３のうち、第１回目に非接触ＩＣカード３０１との通信が確立してデータ通信を行ったリーダライタ２０３の識別子（第１の識別子）を、通信制御部２０４から取得する。そして領域検出部２０５は、この第１の識別子に対応する分割領域の配置座標を上記テーブルから取得し、該配置座標に基づく位置を、第１回目の指定位置とする。例えば、第１の識別子が「３」である場合、左上隅の座標位置が（ｘ３，ｙ３）であり且つ右下隅の座標位置が（ｘ３’、ｙ３’）である領域内の何れかの位置を、第１回目の指定位置とする。そして領域検出部２０５は、第２回目（第１の識別子を取得してから規定時間内）に非接触ＩＣカード３０１との通信が確立してデータ通信を行ったリーダライタ２０３の識別子（第２の識別子）を、通信制御部２０４から取得する。そして領域検出部２０５は、この第２の識別子に対応する分割領域の配置座標を上記テーブルから取得し、該配置座標に基づく位置を、第２回目の指定位置とする。例えば、第２の識別子が「９３」である場合、左上隅の座標位置が（ｘ９３，ｙ９３）であり且つ右下隅の座標位置が（ｘ９３’、ｙ９３’）である領域内の何れかの位置を、第２回目の指定位置とする。そして領域検出部２０５は、第１回目の指定位置と第２回目の指定位置とを両端とする線分を対角線とする矩形領域を、携帯端末装置３００により指定された指定領域として検出（領域特定）する。
【００２２】
なお、領域検出部２０５は、第１回目の指定位置を確定させると、表示画面上の該第１回目の指定位置をユーザに識別させるための情報を表示画面上に表示させるべく、画像生成合成部２０９に指示する。画像生成合成部２０９はこの指示に従って、表示画面上の該第１回目の指定位置をユーザに識別させるための情報を表示画面上に表示させる。例えば、領域検出部２０５は、第１回目の指定位置にマーカを表示させるべく、画像生成合成部２０９に指示する。画像生成合成部２０９は、この指示に従って、表示画面上の第１回目の指定位置にマーカを表示させる。また、領域検出部２０５は、第２回目の指定位置が確定すると、これにより上記指定領域が確定するので、この指定領域をユーザに識別させるための情報を表示画面上に表示させるべく、画像生成合成部２０９に指示する。画像生成合成部２０９はこの指示に従って、指定領域をユーザに識別させるための情報を表示画面上に表示する。例えば、領域検出部２０５は、指定領域の枠を表示させるべく、画像生成合成部２０９に指示する。画像生成合成部２０９は、この指示に従って、指定領域の枠を表示画面上に表示する。
【００２３】
入力書式生成部２０６は、領域検出部２０５によって確定した指定領域に基づいて、該指定領域内に情報を書き込むための入力フォーム（入力書式）を決定する。より詳しくは、入力書式生成部２０６は、領域検出部２０５によって確定した指定領域のサイズや位置、アスペクト比などに基づいて指定領域内の構成を決定する。このとき決定される構成要素としては、掲示する文字数、フォントサイズ、画像数、画像サイズ、文字や画像の配置順序などである。
【００２４】
以下では一例として、図６に示す如く、入力書式生成部２０６は、指定領域のアスペクト比と、指定領域内に属するリーダライタ２０３の数と、の組み合わせ毎に、様々な入力フォームを管理している。ここでは、文書の挿入領域及び画像の挿入領域のサイズや配置位置、文字数やフォントサイズ、フォント種別などが、指定領域のサイズや形状に応じて規定されている。１つの組み合わせに対して複数の入力フォームを管理しても構わない。然るに入力書式生成部２０６は、領域検出部２０５によって確定した指定領域のアスペクト比と、指定領域内に属するリーダライタ２０３の数と、の組み合わせ（若しくはそれに近い組み合わせ）に対応する１以上の入力フォームを特定する。そして入力書式生成部２０６は、通信部２０７が有するメール機能を使用して、この特定した１以上の入力フォームを、近接無線通信の際に取得した携帯端末装置３００のメールアドレス宛てに送信する。なお、入力フォームの送信については、メールではなく近接無線通信を用いて行っても構わない。
【００２５】
通信部２０７は、有線ＬＡＮまたは無線ＬＡＮの機能を備えており、インターネットに接続して外部機器とのデータ通信を行うことが可能である。また、通信部２０７には、アプリケーションの１つとして電子メールのメーラが実行可能に組み込まれている。これにより、通信部２０７は、携帯端末装置３００との間でメールの送受信を行うことができる。
【００２６】
掲示情報受信部２０８は、携帯端末装置３００から送信され、通信部２０７が受信した掲示情報を受信し、該掲示情報から文書や画像を抽出する。携帯端末装置３００は、通信部２０７が送信したメールを受信すると、該メールに添付されているファイル、即ち、入力フォームを、携帯端末装置３００が有する不図示の表示部に表示する。携帯端末装置３００のユーザはこの表示部に表示された入力フォームを見ながら、不図示の操作部を操作し、該入力フォームが規定するそれぞれの領域に掲示したい文書や画像を入力する。そしてユーザは操作部を操作し、掲示したい情報として入力した文書が記されたメールであって、掲示したい情報として入力した画像が添付された該メールを、表示装置２００に送信する。掲示情報受信部２０８は、このメールを掲示情報として受信し、該掲示情報から、入力された文書や画像を抽出する。
【００２７】
なお、携帯端末装置３００は複数の入力フォームを受信した場合には、それぞれの入力フォームを表示画面に一覧表示し、何れか１つをユーザに選択させても良い。そしてその場合、携帯端末装置３００は、掲示情報に、選択された入力フォームを示す情報を含めて表示装置２００に送信することになる。
【００２８】
画像生成合成部２０９は、上記機能に加え、掲示情報受信部２０８が掲示情報から抽出した文書や画像を、携帯端末装置３００に送信した入力フォーム（若しくは掲示情報によって指定された入力フォーム）に従って配置して表示画像を生成する。例えば、携帯端末装置３００から受信したメールに添付の画像のフォーマットがＪＰＥＧ（Ｊｏｉｎｔ  Ｐｈｏｔｏｇｒａｐｈｉｃ  Ｅｘｐｅｒｔｓ  Ｇｒｏｕｐ）である場合、画像生成合成部２０９はこの画像のデコードを行う。そして画像生成合成部２０９は、このデコードした画像のサイズを、入力フォームの画像サイズに合わせてスケーリングし、スケーリングした画像を、入力フォームに従って配置する。また、画像生成合成部２０９は、指定領域以外の領域に表示される他の画像と、指定領域に表示される表示画像とを合成して、表示部２１１に表示可能なフレーム画像を生成し、該フレーム画像をメモリ２１０のフレームバッファに格納する。
【００２９】
メモリ２１０は、ＮＡＮＤやＮＯＲの不揮発性メモリ、およびＤＲＡＭで構成される。ＤＲＡＭは画像生成合成部２０９が画像生成や各種信号処理を行うための作業領域として使用される。また、ＤＲＡＭは、通信制御部２０４が近接無線通信部２０１から受信したデータ（携帯端末装置３００から受信したデータ）を格納するための領域としても使用される。一方、不揮発性メモリには、図５（ａ）のテーブルや、予め作成された入力フォームのデータ（図６）や、利用者（ユーザ）から指定された設定情報など、電源オフ時に現在の状態を復元するために必要な情報が保持される。
【００３０】
表示部２１１は、画像生成合成部２０９が生成してメモリ２１０のフレームバッファに格納したフレーム画像を読み出して表示する。本実施形態では、表示部２１１は液晶ディスプレイであるとするが、上記の通り、有機ＥＬなどの他の表示デバイスであっても良い。
【００３１】
次に、携帯端末装置３００について説明する。携帯端末装置３００は、ＮＦＣに対応した非接触ＩＣカード３０１を内蔵したスマートフォンであり、近接無線通信を行うことができると共に、公衆通信網や無線ＬＡＮを利用してインターネットに接続することができ、メールの送受信の機能も有する。
【００３２】
次に、表示装置２００が携帯端末装置３００によって指定された指定領域を検出し、該指定領域に基づいて入力フォームを生成し、該入力フォームをメールにて携帯端末装置３００に通知する一連の処理について、図３のフローチャートを用いて説明する。
【００３３】
ステップＳ４００では、通信制御部２０４による制御の元、それぞれのリーダライタ２０３は、アンテナ２０２を介して第１の接続要求を送信する。この第１の接続要求とは、２点指定による領域指定のうちの１点目の指定を検出するための接続要求である。
【００３４】
ステップＳ４０１では、通信制御部２０４は、Ｍ個×Ｎ個のリーダライタ２０３のうち何れかのリーダライタ２０３が、第１の接続要求に対する応答（第１の接続応答）を受信したか否かを判断する。
【００３５】
ここで、ユーザが携帯端末装置３００を表示部２１１に近接させると、非接触ＩＣカード３０１は、Ｍ個×Ｎ個のリーダライタ２０３のうち携帯端末装置３００に最も近いリーダライタ２０３（第１のリーダライタ２０３）からの接続要求を受信することになる。接続要求を受信した非接触ＩＣカード３０１は、接続要求に対する応答である接続応答を送信するので、第１のリーダライタ２０３は、この接続応答を受信することになる。第１のリーダライタ２０３は、接続応答と共に、自身の識別子を通信制御部２０４に通知するので、通信制御部２０４は、この識別子から、第１のリーダライタ２０３が接続応答を受信したことを把握することができる。
【００３６】
なお、接続応答には、接続応答を送信した装置のメールアドレスや該装置に固有の識別情報（例えば、該装置に記憶されている電話番号、所有者名、固有のデバイスアドレスなど）が含まれている。
【００３７】
ステップＳ４０１における判断の結果、Ｍ個×Ｎ個のリーダライタ２０３のうち何れのリーダライタ２０３も第１の接続応答を受信していない場合には、処理はステップＳ４００に戻り、それぞれのリーダライタ２０３は再度、第１の接続要求を送信する。すなわち、それぞれのリーダライタ２０３は、定期的に第１の接続要求を送信し続けて、携帯端末装置３００からの応答を待っており、ＮＦＣは常時利用可能な状態となっている。
【００３８】
一方、ステップＳ４０１における判断の結果、Ｍ個×Ｎ個のリーダライタ２０３のうち何れかのリーダライタ２０３が第１の接続応答を受信した場合には、処理はステップＳ４０２に進む。
【００３９】
ステップＳ４０２では、領域検出部２０５は、Ｍ個×Ｎ個のリーダライタ２０３のうち第１の接続応答を受信したリーダライタ２０３の識別子（第１の識別子）を、通信制御部２０４から取得する。そして領域検出部２０５は、この第１の識別子に対応する分割領域の配置座標を上記テーブルから取得し、該配置座標に基づく表示画面上の位置（第１の指定位置）にマーカを表示させるべく、画像生成合成部２０９に指示する。画像生成合成部２０９は、第１の指定位置にマーカを表示する。
【００４０】
ステップＳ４０３では、通信制御部２０４による制御の元、それぞれのリーダライタ２０３は、アンテナ２０２を介して第２の接続要求を送信する。この第２の接続要求とは、２点指定による領域指定のうちの２点目の指定を検出するための接続要求である。
【００４１】
ステップＳ４０４では、通信制御部２０４は、第１の接続応答を受信してから規定時間が経過したか否かを判断する。規定時間の計時開始タイミングについては様々な変形例が考えられる。この判断の結果、規定時間が経過した場合（タイムアウトの場合）には、処理はステップＳ４１０に進み、まだ規定時間が経過していない場合（タイムアウトではない場合）には、処理はステップＳ４０５に進む。
【００４２】
ステップＳ４０５では、通信制御部２０４は、Ｍ個×Ｎ個のリーダライタ２０３のうち何れかのリーダライタ２０３が、第２の接続要求に対する応答（第２の接続応答）を受信したか否かを判断する。
【００４３】
ステップＳ４０５における判断の結果、Ｍ個×Ｎ個のリーダライタ２０３のうち何れのリーダライタ２０３も第２の接続応答を受信していない場合には、処理はステップＳ４０３に戻り、それぞれのリーダライタ２０３は再度、第２の接続要求を送信する。すなわち、それぞれのリーダライタ２０３は、定期的に第２の接続要求を送信し続けて、携帯端末装置３００からの応答を待っており、ＮＦＣは常時利用可能な状態となっている。
【００４４】
一方、ステップＳ４０５における判断の結果、Ｍ個×Ｎ個のリーダライタ２０３のうち何れかのリーダライタ２０３が第２の接続応答を受信した場合、通信制御部２０４は更に次のような処理を実行する。すなわち通信制御部２０４は、第１の接続応答に含まれている識別情報と、第２の接続応答に含まれている識別情報とが同じであるか否かを判断する。この判断は、第１回目の位置指定と第２回目の位置指定とが同じ機器によってなされたか否かを判断するためのものである。然るに同様の判断を行うことができるのであれば、判断するために用いる情報や判断方法については特定の情報や方法に限るものではない。
【００４５】
そして、第１の接続応答に含まれている識別情報と、第２の接続応答に含まれている識別情報とが同じであれば、処理はステップＳ４０６に進み、同じでなければ、処理はステップＳ４０３に進む。
【００４６】
ステップＳ４０６では、領域検出部２０５は、Ｍ個×Ｎ個のリーダライタ２０３のうち第２の接続応答を受信したリーダライタ２０３の識別子（第２の識別子）を、通信制御部２０４から取得する。そして領域検出部２０５は、第２の識別子に対応する分割領域の配置座標を上記テーブルから取得し、該配置座標に基づく表示画面上の位置と第１の指定位置とを両端とする線分を対角線とする矩形領域を、指定領域として検出する。そして領域検出部２０５は、この指定領域の枠を表示させるべく、画像生成合成部２０９に指示するので、画像生成合成部２０９は、この枠を表示する。
【００４７】
次に、ステップＳ４０７では、入力書式生成部２０６は、領域検出部２０５によって確定（検出）した指定領域に対応する入力フォームを決定する。そして通信部２０７は、第１の接続応答若しくは第２の接続応答に含まれているメールアドレス、即ち、携帯端末装置３００のメールアドレスに対して、上記決定した入力フォームを添付したメールを送信する。
【００４８】
ステップＳ４００〜Ｓ４０７の一連の処理は、表示装置２００の電源がオフになるまで繰り返し行われることになり（ステップＳ４０８でＮ）、電源がオフになると（ステップＳ４０８でＹ）、本処理は終了する。
【００４９】
ステップＳ４１０では、領域検出部２０５は、第１の接続応答を受信してから規定時間内に第２の接続応答を受信していない、即ち、表示部２１１の表示画面上で１点目を指定してから規定時間内に２点目が指定されていないと判断する。これをうけて画像生成合成部２０９は、第１の指定位置を無効にし、ステップＳ４０２で第１の指定位置に表示したマーカを消去する。
【００５０】
次に、表示装置２００が、携帯端末装置３００から送信された掲示情報を受信し、受信した掲示情報に基づいてフレーム画像を生成して表示する（表示制御）ために行う処理について、同処理のフローチャートを示す図４を用いて説明する。
【００５１】
ステップＳ５００では、掲示情報受信部２０８は、携帯端末装置３００から通信部２０７を介して掲示情報を受信したか否かを判断する。この判断の結果、掲示情報を受信した場合には、処理はステップＳ５０１に進み、まだ掲示情報を受信していない場合には、処理はステップＳ５００に戻り、掲示情報の受信を待機する。
【００５２】
ステップＳ５０１では、掲示情報受信部２０８は、携帯端末装置３００から送信されたメールを、通信部２０７を介して掲示情報として受信し、該掲示情報から、入力された文書や画像を抽出し、該抽出した文書や画像を画像生成合成部２０９に送出する。画像生成合成部２０９は、掲示情報受信部２０８から送出された文書や画像を、携帯端末装置３００に送信した入力フォームに従って配置して表示画像を生成する。すなわち、掲示情報受信部２０８から送出された文書を、入力フォームが規定する文書挿入領域に配置し、掲示情報受信部２０８から送出された画像を、入力フォームが規定する画像挿入領域に配置する。
【００５３】
ここで、掲示情報受信部２０８から送出された画像のサイズやアスペクト比が、入力フォームが規定する画像のサイズやアスペクト比と異なる場合、画像生成合成部２０９は、掲示情報受信部２０８から送出された画像のサイズやアスペクト比を変更する。これにより、掲示情報受信部２０８から送出された画像のサイズやアスペクト比を、入力フォームが規定する画像のサイズやアスペクト比と一致させる。また、入力フォームに応じて表示可能な文字数が決められており、利用者は使用する入力フォームの文字数を考慮してメールの文章を入力する。
【００５４】
そして画像生成合成部２０９は、指定領域以外の領域に表示される他の画像と、指定領域に表示される表示画像とを合成して、表示部２１１に表示可能なフレーム画像を生成し、該フレーム画像をメモリ２１０のフレームバッファに格納する。
【００５５】
ステップＳ５０２では、表示部２１１は、画像生成合成部２０９が生成してメモリ２１０のフレームバッファに格納したフレーム画像を読み出して表示する。ステップＳ５００〜Ｓ５０２の一連の処理は、表示装置２００の電源がオフになるまで繰り返し行われることになり（ステップＳ５０３でＮ）、電源がオフになると（ステップＳ５０３でＹ）、本処理は終了する。
【００５６】
このように、本実施形態によれば、携帯端末装置３００のユーザは、携帯端末装置３００を表示装置２００の表示画面上にかざすだけで、情報を掲示したい領域の指定を簡便に行うことができる。さらに、表示装置２００は、指定された領域に応じた入力フォームを提供することで、利用者は表示したい文章をメールに入力し、表示したい画像をメールに添付して送信するだけで、指定した領域に簡便に情報を掲示することができる。
【００５７】
＜変形例＞
第１の実施形態では、表示画面上の２点を指定し、該２点を両端とする線分を対角線とする矩形を指定領域として指定する例を説明した。しかし、指定する点数は２に限るものではなく、Ｑ（Ｑは３以上の自然数）であっても良い。
【００５８】
例えば、表示画面上の各位置に割り当てられているリーダライタ２０３のうち、１番目に接続応答を受信したリーダライタ２０３を第１のリーダライタ２０３として特定する。また、Ｐ（２≦Ｐ≦Ｑ）番目に接続応答を受信したリーダライタ２０３を第Ｐのリーダライタ２０３として特定する。そして、第１乃至Ｑのリーダライタ２０３のそれぞれが割り当てられている表示画面上の位置を用いて、該表示画面上における領域を特定する。例えばそれぞれの位置を頂点とする多角形領域を指定領域としても良い。また、それぞれの位置を制御点とする自由曲線を計算し、該自由曲線で囲まれた閉領域を指定領域としても構わない。もちろん、第１乃至（Ｑ−１）のリーダライタ２０３のそれぞれが割り当てられている表示画面上の位置が特定されるたびに該位置にマーカを表示し、第Ｑのリーダライタ２０３が特定されると、指定領域の枠を表示するようにしても構わない。
【００５９】
［第２の実施形態］
以下では、第１の実施形態との差分について重点的に説明し、第１の実施形態と同様の構成については説明は省略する。すなわち、以下で特に触れない限りは、第１の実施形態と同様であるものとする。
【００６０】
本実施形態に係る表示装置７００の機能構成例について、図７のブロック図を用いて説明する。図７において、図２と同じ部分については同じ参照番号を付しており、この部分に係る説明は省略する。
【００６１】
利用料金算出部２１２は、領域検出部２０５によって確定した指定領域に基づいて、該指定領域に情報を掲示するために利用者に課す料金を算出する。公共の場に設置された情報掲示のための表示装置においては、利用者は料金を支払って情報を掲示、広告する。このとき、表示装置の表示面で利用者が使用する領域の大きさや位置に応じて利用者に課す料金は変わってくる。
【００６２】
ここでは、利用料金算出部２１２は、領域検出部２０５から取得した指定領域の座標（例えば左上隅の座標と右下隅の座標）と、図５（ａ）に示したテーブルと、を用いて、指定領域内に存在するリーダライタ２０３の識別子を抽出する。ここで、利用料金算出部２１２は図８（ａ）に示す如く、Ｍ個×Ｎ個のリーダライタ２０３のそれぞれについて、該リーダライタ２０３の識別子（６００）と、該リーダライタ２０３に割り当てられている料金（６０３）と、を関連づけたテーブルを管理している。このテーブルは、リーダライタ識別子＝０，１，２，３，…，９５のそれぞれに対応するリーダライタ２０３が図８（ｂ）に示すように、左上隅の位置から右下隅の位置へとラスタスキャン順に並んでいる場合におけるものである。それぞれのリーダライタ２０３に割り当てられている金額は、例えば、表示装置７００の表示画面上における配置位置を考慮して定められており、例えば、表示面中央ほど高額であったり、表示面の端では低額であったりする。
【００６３】
然るに利用料金算出部２１２は、指定領域内のリーダライタ２０３の識別子に対応する料金の合計金額を、指定領域に対する利用金額として求める。例えば、指定領域内のリーダライタ２０３の識別子が１，２，３である場合、それぞれの識別子に対応する料金２０，３０，３０の合計金額８０円を、この指定領域に対する利用料金として求める。
【００６４】
そしてこの利用料金を携帯端末装置３００のユーザに通知するのであるが、通知方法は特定の方法に限るものではない。例えば、表示部２１１に利用料金を表示しても構わないし、携帯端末装置３００のメールアドレス宛に利用料金を記したメールを送信しても構わない。
【００６５】
決済部２１３は、利用者が表示装置７００に情報を掲示する際の決済処理を行う。決済部２１３は、表示装置７００と携帯端末装置３００とが領域指定のための通信を行った際に、決済に必要な情報を携帯端末装置３００から取得する。ここでは、決済に必要な情報として、利用者のクレジットカード番号、氏名、クレジットカードの有効期限を携帯端末装置３００より取得してメモリ２１０に保持する。決済部２１３は、通信部２０７が利用者から掲示情報が入力されたメールを受信した場合、予め取得し保持しておいた決済に必要な情報を用いてオンラインでクレジット決済を行う。なお、決済方法はこれによらず、携帯電話に備わった電子マネーを利用してもよい。
【００６６】
次に、表示装置７００が、図３のフローチャートに従った処理に加えて、指定領域の利用金額を計算してユーザに提示する、一連の処理について、図９のフローチャートを用いて説明する。なお、図９において、図３に示した処理ステップと同じ処理ステップには同じステップ番号を付しており、この処理ステップに係る説明は省略する。
【００６７】
ステップＳ４１１では、決済部２１３は、携帯端末装置３００から決済処理に必要となる情報を取得する。ステップＳ４１２では、利用料金算出部２１２は、指定領域内のリーダライタ２０３の識別子に対応する料金の合計金額を、指定領域に対する利用金額として求める。ステップＳ４１３では、利用料金算出部２１２は表示部２１１に利用料金の表示を指示するので、表示部２１１は利用料金を表示する。
【００６８】
次に、表示装置７００が、図４のフローチャートに従った処理に加えて、決済を行う、一連の処理について、同処理のフローチャートを示す図１０を用いて説明する。なお、図１０において、図４に示した処理ステップと同じ処理ステップには同じステップ番号を付しており、この処理ステップに係る説明は省略する。
【００６９】
ステップＳ５０４では、決済部２１３は、ステップＳ４１１で取得し保持しておいた決済に必要な情報を用いて、情報掲示の際に利用者に課せられる利用料金の決済処理を実行する。
【００７０】
このように、本実施形態によれば、携帯端末装置３００を表示装置７００の表示面にかざして情報を掲示したい領域の指定を行った際に決済に必要な情報が交換される。そして、利用者が表示したい情報をメールに入力して表示装置７００に送信するだけで、情報掲示に必要な利用料金の決済処理が行われるため、利用者は決済処理に必要な情報の入力など煩わしい操作を行う必要がない。
【００７１】
なお、表示部２１１に利用金額を表示し、ユーザがこれを見て現在設定している指定領域に情報を掲示するのか、それとも、現在設定している指定領域は破棄して、より高い若しくはより低い金額の領域を再指定するのかを選択する構成を組み込んでも構わない。
【００７２】
［第３の実施形態］
図２，７に示した表示装置２００（７００）を構成する各部はハードウェアで構成しても構わない。しかし、例えば、領域検出部２０５、画像生成合成部２０９、入力書式生成部２０６、利用料金算出部２１２などをソフトウェア（コンピュータプログラム）で実装しても構わない。この場合、このコンピュータプログラムはメモリ２１０に格納され、不図示の制御部（ＣＰＵ等）がこのコンピュータプログラムを読み出して実行することで、対応する機能部の機能が実現されることになる。
【００７３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015072638.tif 000003
【図２】
2015072638.tif 000004
【図３】
2015072638.tif 000005
【図４】
2015072638.tif 000006
【図５】
2015072638.tif 000007
【図６】
2015072638.tif 000008
【図７】
2015072638.tif 000009
【図８】
2015072638.tif 000010
【図９】
2015072638.tif 000011
【図１０】
2015072638.tif 000012